(57)【要約】  本発明の実施形態は、容器（１０１）と；容器（１０１）の上に配置された加熱手段と；容器（１０１）内に配置され且つ通気性底部（１０２１）を有する食品支持部（１０２）と；容器内の空間を、食品支持部（１０２）を収容する第１のチャンバ（１０１１）と第１のチャンバ（１０１１）の下に位置する第２のチャンバ（１０１２）とに分割する、仕切り（１０４）と；容器（１０１）の底壁上に位置する案内部材（１０５）と；を有する、空気フライ調理器（１００）を開示する。仕切り（１０４）は、第１のチャンバ（１０１１）から第２のチャンバ（１０１２）への熱伝達を少なくとも部分的に遮断し、食品支持部（１０２）の通気性底部（１０２１）から第１のチャンバ（１０１１）の中に落下する材料を第２のチャンバ（１０１２）へ案内する。空気フライ調理器（１００）は、調理中の煙霧の発生を減少させる。
2019517882.tif 000002
【特許請求の範囲】
【請求項１】
容器と；
前記容器の上に配置された加熱手段と；
前記容器内に配置され且つ通気性底部を有する食品支持部と；
前記容器内に配置され且つ前記食品支持部の下に配置される仕切りであって、前記容器内の空間を、前記食品支持部を収容する第１のチャンバと、前記第１のチャンバの下に位置する第２のチャンバとに分割する、仕切りと；
を有し、
前記仕切りは、前記第１のチャンバから前記第２のチャンバへの熱伝達を少なくとも部分的に遮断し、前記食品支持部の前記通気性底部から前記第１のチャンバの中に落下する材料を前記第２のチャンバへ案内する、
空気フライ調理器。
【請求項２】
前記食品支持部の前記通気性底部から前記第１のチャンバの中に落下する前記材料を前記第２のチャンバに案内するように設計された案内部材を有する、
請求項１に記載の空気フライ調理器。
【請求項３】
前記案内部材は、少なくとも部分的に前記第２のチャンバ内に配置される、
請求項２に記載の空気フライ調理器。
【請求項４】
前記案内部材は、前記容器の底壁上に配置される、
請求項２または３に記載の空気フライ調理器。
【請求項５】
前記案内部材は前記仕切りに接続される、
請求項２乃至４のいずれか１項に記載の空気フライ調理器。
【請求項６】
前記案内部材は、前記第２のチャンバに入る前記材料を、空気流の流路の外の前記仕切りの下の位置に案内する、
請求項２乃至５のいずれか１項に記載の空気フライ調理器。
【請求項７】
前記仕切りは、中心またはその近くに開口部を有する案内面を有し、前記案内面は、その縁部から前記開口部まで、前記容器の底部に向かって徐々に傾斜して、前記第１のチャンバの中に落下する前記材料を、前記案内面に沿って動かし且つ前記開口部を通って前記第２のチャンバに入るように、案内する、
請求項１乃至６のいずれか１項に記載の空気フライ調理器。
【請求項８】
前記案内部材は、前記容器の軸方向において、前記仕切りの前記案内面の前記開口部と整列し、前記案内部材は、前記開口部近くの高さから離れて前記容器の底壁に、徐々に傾斜して延びる指向面を有する、
請求項２乃至７のいずれか１項に記載の空気フライ調理器。
【請求項９】
ギャップが前記案内部材と前記開口部との間に設けられて、前記第１のチャンバの中に落下する前記材料が前記ギャップを通って前記第２のチャンバに入ることを可能にする、
請求項７又は８に記載の空気フライ調理器。
【請求項１０】
前記案内部材は、全体として、実質的に円錐形、ピラミッド形、螺旋状円錐形、円錐台形、切頭ピラミッド形、または截頭螺旋円錐形である、
請求項２乃至９のいずれか１項に記載の空気フライ調理器。
【請求項１１】
前記食品支持部は非通気性側壁を有し、第１の空間が前記側壁と前記容器の外壁との間に設けられ、第２の空間が前記食品支持部の前記通気性底部と前記仕切りの前記案内面との間に設けられ、前記第１の空間および前記第２の空間は、前記第１のチャンバ内にあり且つ前記食品支持部を通過する空気循環通路の一部を形成する、
請求項７乃至１０のいずれか１項に記載の空気フライ調理器。
【請求項１２】
前記案内部材は、前記開口部を通過するとともに前記第１のチャンバの中に部分的に延び、前記第１のチャンバ内に配置された前記指向面の一部は、前記食品支持部の前記通気性底部を通って前記食品支持部の中に入るように、前記第２の空間からの空気を案内する、
請求項７を引用する請求項８乃至１１のいずれか１項に記載の空気フライ調理器。
【請求項１３】
前記食品支持部は、前記容器の外部に延びるハンドルを有し、前記食品支持部は、前記ハンドルを介して前記容器に支持される、
請求項１乃至１２のいずれか１項に記載の空気フライ調理器。
【請求項１４】
前記仕切りは支持壁をさらに有し、前記仕切りは前記支持壁を介して前記容器に支持される、
請求項１乃至１３のいずれか１項に記載の空気フライ調理器。
【請求項１５】
前記食品支持部は、グリルプレートまたはバスケットを含む、
請求項１乃至１４のいずれか１項に記載の空気フライ調理器。
【請求項１６】
前記食品支持部は、前記仕切り上、好ましくはその前記案内面上に直接置かれる、
請求項７乃至１５のいずれか１項に記載の空気フライ調理器。
【請求項１７】
前記仕切りは、前記容器の外部に延びるハンドルを有し、前記仕切りは、前記ハンドルを介して前記容器に支持される、
請求項１乃至１６のいずれか１項に記載の空気フライ調理器。
【請求項１８】
前記容器の底壁に対する前記案内面の傾斜角度は１０度以上である、
請求項７乃至１７のいずれか１項に記載の空気フライ調理器。
【請求項１９】
前記空気フライ調理器の動作中、前記仕切りは、前記第２のチャンバ内の温度を前記第１のチャンバ内の温度より約摂氏５０度低くする、
請求項１乃至１８のいずれか１項に記載の空気フライ調理器。
【請求項２０】
前記仕切りは、少なくとも部分的にはプラスチック材料で作られている、
請求項１乃至１９のいずれか１項に記載の空気フライ調理器。
【請求項２１】
前記仕切りの前記開口部の形状は、前記案内部材が前記仕切りの前記案内面を越えて少なくとも部分的に突出しながら、前記開口部が前記案内部材の周囲に嵌合できるように、前記案内部材の前記開口部の形状と相補的である、
請求項２を引用する請求項７乃至２０のいずれか１項に記載の空気フライ調理器。
【請求項２２】
前記食品支持部の前記通気性底部に向かって及び前記通気性底部を通って空気を案内するように設計された空気案内装置を有する、
請求項１乃至２１のいずれか１項に記載の空気フライ調理器。
【請求項２３】
前記空気案内装置は、前記第１のチャンバに配置される、
請求項２２に記載の空気フライ調理器。
【請求項２４】
前記空気案内装置は、前記仕切り上に配置される、
請求項２２又は２３に記載の空気フライ調理器。
【請求項２５】
前記空気案内装置は、前記仕切りと一体に形成される、
請求項２２乃至２４のいずれか１項に記載の空気フライ調理器。
【請求項２６】
前記空気案内装置は、前記案内部材と同様の形状、例えば、実質的に円錐形、ピラミッド形、螺旋状円錐形、円錐台形、切頭ピラミッド形、または截頭螺旋円錐形である、
請求項２を引用する請求項２２乃至２５のいずれか１項に記載の空気フライ調理器。
【請求項２７】
前記空気案内装置は、少なくとも１つの空気案内リブを有する、
請求項２２乃至２６のいずれか１項に記載の空気フライ調理器。
【請求項２８】
前記少なくとも１つの空気案内リブは、本質的に半径方向に延びる、
請求項２７に記載の空気フライ調理器。
【請求項２９】
前記少なくとも１つの空気案内リブは、前記仕切りの前記開口部から延びる、
請求項７を引用する請求項２７又は２８に記載の空気フライ調理器。
【請求項３０】
前記少なくとも１つの空気案内リブは、上面図で見るとき、湾曲している、
請求項２７乃至２９のいずれか１項に記載の空気フライ調理器。
【請求項３１】
請求項１乃至３０のいずれか１項に記載の空気フライ調理器の内部空間を、食品を収容する第１のチャンバと前記第１のチャンバの下に位置する第２のチャンバとに分割し、前記第１のチャンバから前記第２のチャンバへの熱伝達を少なくとも部分的に遮断する、前記空気フライ調理器で用いる仕切りであって、前記仕切りは、使用時に前記第１のチャンバの中に落ちる材料を前記第２のチャンバに案内する傾斜した案内面を有する、
仕切り。
【請求項３２】
前記案内面は、前記案内面に沿って流れる空気を上方に偏向させるように設計された空気案内装置を備える、
請求項３１に記載の仕切り。
【請求項３３】
前記空気案内装置の外形は、実質的に円錐形、ピラミッド形、螺旋状円錐形、円錐台形、切頭ピラミッド形、または截頭螺旋円錐形である形状を有する、
請求項３２に記載の仕切り。
【請求項３４】
前記空気案内装置は、実質的に半径方向に延びる少なくとも１つの空気案内リブを有する、
請求項３２又は３３に記載の仕切り。
【請求項３５】
前記仕切りは、少なくとも１つの開口部を有し、前記案内面は、前記開口に向かって及び前記開口を通って前記材料を案内するように、その縁部から前記少なくとも１つの開口部まで、下向きに徐々に傾斜する、
請求項３１乃至３４のいずれか１項に記載の仕切り。
【請求項３６】
前記仕切りは、前記案内面がその最低点を有するところに位置する少なくとも１つの開口部を有する、
請求項３１乃至３５のいずれか１項に記載の仕切り。
【請求項３７】
前記仕切りは、少なくとも部分的にプラスチック材料で作られている、
請求項３１乃至３５のいずれか１項に記載の仕切り。
【発明の詳細な説明】
【技術分野】
【０００１】
本発明の実施形態は、食品調理装置、特に空気フライ調理器に関する。
【背景技術】
【０００２】
空気フライ（air-frying）調理器は、調理する、例えば熱い空気で食品を油揚げすることができる器具である。空気フライ調理器は、熱い空気流が食品の上を通って食品への熱伝達を増加させ、それによって調理時間を短縮することを可能にする。空気フライ調理器は、従来の油でフライにすることと比較して、食品を調理するためにはるかに少ない油を使用するため、市場で人気がある。しかし、従来の空気フライ調理器は依然として、使用中に、特に摂氏１４０度を超える温度で脂っこい食品を調理するとき、煙霧（fume）を発生する。
【０００３】
調理煙霧は、微細な粒子を含み、空気を汚染する空気フライ調理器の主な欠点の１つであり、したがって、長期間にわたり煙霧臭を引き起こす。加えて、空気フライ調理器によって生成された調理煙霧は、スモッグ検出器および空気清浄器を作動させて警報を発する可能性がある。煙霧の発生は、空気フライ調理器製品の技術的でない返品および空気フライ調理器製品に対する否定的評価の主な理由となっている。
【０００４】
したがって、調理煙霧に効果的に対処するために改良された空気フライ調理器が必要とされる。
【発明の概要】
【０００５】
現在の空気フライ調理器は、肉様食品（例えば、鶏肉、ステーキ、ハム、リブ、魚など）を調理するために使用されるとき、熱は肉から水およびグリースを抽出する。抽出された水とグリースはトレイに落ちる。高温のトレイは、落下したグリースをその煙点温度（例えば、摂氏２００度）を越えて加熱するので、煙霧が生成される。食品から抽出された水がトレイ内の油に落ちるとき、それは加熱されて迅速に蒸発する。摂氏１６０度より高い高温油中の水の蒸発は、超高温蒸気の爆発を引き起こす。爆発した蒸気は、多くの小さな油滴を運ぶ。これらの小さい油滴は加熱パイプ（その温度は約摂氏４００度）上に直接飛散するか、または循環空気流全体に送達されるので、これらの小さい油滴は直ちに焦げて多くの煙霧および煙を発生させる。
【０００６】
本発明は、グリース、破片および水を調理済み食品から分離し、それらを高温空気流循環から離れた低温領域に送達することによって空気フライ調理器の使用中の煙霧の発生を低減および排除さえする。
【０００７】
本発明の実施形態によれば、空気フライ調理器であって：容器と；容器の上に配置された加熱手段と；容器内に配置され且つ通気性の底部を有する食品支持部と；加熱手段により加熱された空気が気流を形成して食品支持部に収容された食品を加熱することができるように構成された空気流発生手段と；容器内に配置され且つ食品支持部の下に配置される仕切りであって、容器内の空間を、食品支持部を収容する第１のチャンバと、第１のチャンバの下に位置する第２のチャンバとに分割する、仕切りと；を有し、仕切りは、第１のチャンバから第２のチャンバへの熱伝達を少なくとも部分的に遮断し、食品支持部の通気性の底部から第１のチャンバの中に落下する材料を第２のチャンバへ案内する、空気フライ調理器が提供される。
【０００８】
いくつかの実施形態では、食品支持部の通気性底部から第１のチャンバの中に落下する材料を第２のチャンバに案内するように設計された案内部材が設けられ得る。例えば、いくつかの実施形態では、案内部材は、第１のチャンバから第２のチャンバに入る材料を、容器の半径方向の中心から離れる方向に向かって案内し得る。有利には、案内部材は、第２のチャンバに入る材料を、空気流を避ける位置に、すなわち空気流の流路の外に、例えば、仕切りの下の位置に、案内するように設計され、「下」は仕切りの垂直投影の境界内を意味する。
【０００９】
いくつかの実施形態では、案内部材は、食品支持部の下に配置され得る。
【００１０】
いくつかの実施形態では、案内部材は、少なくとも部分的に第２のチャンバ内に配置され得る。
【００１１】
いくつかの実施形態では、案内部材は、少なくとも部分的に第１のチャンバの中に延び得る。
【００１２】
いくつかの実施形態では、案内部材は、容器の底壁に配置され得る。
【００１３】
いくつかの実施形態では、案内部材は仕切りに接続され得る。
【００１４】
いくつかの実施形態では、仕切りは、中心またはその近くに開口部を有する案内面を有し、案内面は、その縁部から開口部まで、容器の底部に向かって徐々に傾斜して、第１のチャンバの中に落下する材料を、案内面に沿って動かし且つ開口部を通って第２のチャンバに入るように案内する。
【００１５】
いくつかの実施形態では、開口部は、案内面の中心またはその近くに配置され得る。
【００１６】
いくつかの実施形態では、案内面は、いくつかの開口部を有し得る。
【００１７】
いくつかの実施形態では、案内部材は、容器の軸方向において、仕切りの案内面の開口部と整列し、案内部材は、開口部から離れて、または、開口部近くの高さ（level）から容器の底壁に、徐々に傾斜して延びる指向面（directing  surface）を有する。
【００１８】
いくつかの実施形態では、ギャップが案内部材と開口部との間に設けられて、第１のチャンバの中に落下する材料がギャップを通って第２のチャンバに入ることを可能にする。
【００１９】
いくつかの実施形態では、案内部材は、全体として、実質的に円錐形、ピラミッド形、螺旋状円錐形、円錐台形、切頭ピラミッド形、または截頭螺旋円錐形（truncated  spirally-conical）である。
【００２０】
いくつかの実施形態では、食品支持部は非通気性側壁を有し、第１の空間が側壁と容器の外壁との間に設けられ、第２の空間が食品支持部の通気性底部と仕切りの案内面との間に設けられ、第１の空間および第２の空間は、第１のチャンバ内にあり且つ食品支持部を通過する空気循環通路の一部を形成する。
【００２１】
いくつかの実施形態では、案内部材は、開口部を通過するとともに、第１のチャンバの中に部分的に延びる。第１のチャンバ内に配置された指向面の一部は、食品支持部の通気性底部を通って食品支持部の中に入るように、第２の空間からの空気を案内する。
【００２２】
いくつかの実施形態では、仕切りの開口部の形状は、案内部材は仕切りの案内面を越えて少なくとも部分的に突出しながら、開口部が案内部材の周囲に嵌合できるように案内部材の開口部の形状と相補的である。
【００２３】
いくつかの実施形態では、食品支持部の通気性底部に向かって及び通気性底部を通って食品支持部の中に空気を案内するように設計された空気案内装置が設けられ得る。
【００２４】
いくつかの実施形態では、空気案内装置は、食品支持部の下に配置され得る。
【００２５】
いくつかの実施形態では、空気案内装置は、少なくとも部分的に第１のチャンバの中に配置され得る。
【００２６】
いくつかの実施形態では、空気案内装置は、少なくとも部分的に第２のチャンバに配置され得る。
【００２７】
いくつかの実施形態では、空気案内装置は、容器の底壁に配置され得る。
【００２８】
いくつかの実施形態では、空気案内装置は、仕切り上に配置され得る。
【００２９】
いくつかの実施形態では、空気案内装置は、仕切りに接続され得るまたは仕切りと一体に形成され得る。
【００３０】
いくつかの実施形態では、案内部材は、空気案内装置を有し得る。すなわち、いくつかの実施形態では、案内部材またはその少なくとも一部は、空気を食品支持部の通気性底部を通って食品支持部の中に通すように案内する空気案内装置として働き得る。他の実施形態では、案内部材および空気案内装置は、別々の構造であり得る。いくつかの実施形態では、空気フライ調理器は、空気案内装置のみを有し、案内部材を有さなくてもよい。
【００３１】
いくつかの実施形態では、空気案内装置は、案内部材と同様の形状、例えば、実質的に円錐形、ピラミッド形、螺旋状円錐形、円錐台形、切頭ピラミッド形、または截頭螺旋円錐形であり得る。
【００３２】
いくつかの実施形態では、空気案内装置は、少なくとも１つの空気案内リブを有し得る。少なくとも１つのリブは、仕切りの開口部から延び得る。少なくとも１つのリブは、本質的に半径方向に延び得る。少なくとも１つのリブは、直線状であっても湾曲していてもよい。
【００３３】
いくつかの実施形態では、食品支持部は、容器の外部に延びるハンドルを有し、食品支持部は、ハンドルを介して容器に支持される。
【００３４】
いくつかの実施形態では、仕切りはさらに支持壁を有し、仕切りは支持壁を介して容器の底壁に支持される。
【００３５】
いくつかの実施形態では、食品支持部は、グリルプレートまたはバスケットである。
【００３６】
いくつかの実施形態では、食品支持部は、仕切り上、例えば仕切りの案内面上に直接置かれる。
【００３７】
いくつかの実施形態では、仕切りは、食品支持部に、好ましくは取り外し可能な方法で、取り付けられ得る。
【００３８】
いくつかの実施形態では、仕切りは、容器の外部に延びるハンドルを有し、仕切りは、ハンドルを介して容器に支持される。
【００３９】
いくつかの実施形態では、仕切りは、それにより仕切りが容器の底壁に立つことができる壁又は脚部のような支持構造を有する。
【００４０】
いくつかの実施形態では、容器の底壁に対する案内面の傾斜角度は１０度以上である。
【００４１】
いくつかの実施形態では、空気フライ調理器の動作中、仕切りは、第２のチャンバ内の温度を第１のチャンバ内の温度より約摂氏５０度低くする。
【００４２】
本発明の実施形態による空気フライ調理器では、容器内の空間を第１のチャンバと第２のチャンバとに仕切る仕切りが設けられ、調理時に発生した材料は仕切りを介して比較的低い温度の第２のチャンバに贈られ、それによって、食品を調理するための空気フライ調理器の使用の間の煙霧の発生を減少させ、なくすことさえする。
【００４３】
本発明はさらに、空気フライ調理器内の内部空間を、食品を収容するための第１のチャンバと、第１のチャンバの下に位置する第２のチャンバとに分割し、少なくとも部分的に第１のチャンバから第２のチャンバへの熱伝達を少なくとも部分的にブロックするための空気フライ調理器で用いる仕切りに関し、仕切りは、傾斜した案内面であって、使用時に前記案内面上を前記案内面内の開口部に向かってかつそこを通って落下し得る材料を案内するための傾斜した案内面を有する。案内面は、案内面に沿って流れる空気を上方に偏向させるように設計された空気案内装置を備え得る。仕切りは、少なくとも部分的にはプラスチック材料から作られ得る。
【図面の簡単な説明】
【００４４】
本発明の上記および他の目的並びに特性は、以下の図面を参照して以下の詳細な説明と組み合わせてより明らかになるであろう。
【００４５】
【図１】本発明の第１の実施形態による空気フライ調理器の断面図である。
【図２】図１の空気フライ調理器の仕切りを示す。
【図３】代替の食品支持部を有する図１の空気フライ調理器の断面図である。
【図４】本発明の第２の実施形態による空気フライ調理器の断面図である。
【図５】図４の空気フライ調理器の分解図である。
【図６】本発明による仕切りのさらなる実施形態を示す。
【図７】本発明による仕切りのさらなる実施形態を示す。
【図８】本発明による仕切りのさらなる実施形態を示す。
【図９】本発明による仕切りのさらなる実施形態を示す。
【図１０】本発明による仕切りのさらなる実施形態を示す。
【図１１】本発明による仕切りのさらなる実施形態を示す。
【００４６】
上記の図を通して、同じ参照符号は、同一の、同様の、または対応する特徴または機能を指すものとして理解される。
【発明を実施するための形態】
【００４７】
ここで、本発明の実施形態を参照し、実施形態の１つまたは複数の例を図面に示す。実施形態は、本発明を説明することによって提供され、本発明を限定することを意図するものではない。例えば、実施形態の一部として示されまたは記載された特徴は、さらなる実施形態を生成するために、別の実施形態において使用され得る。本発明は、本発明の範囲および精神に入るこれらおよび他の改変および変形を含むことを意図する。
【００４８】
図１は、本発明の第１の実施形態による空気フライ調理器１００を示す。空気フライ調理器１００は、容器１０１と；容器１０１の上方に位置する加熱手段（図示せず；通常は容器１０１を覆う蓋の中に位置する）と；容器１０１内に位置する食品支持部１０２と；ファンのような空気流発生装置（図示せず）と；を有する。空気流発生装置は、通常、容器の上方に配置されて、加熱手段によって加熱された空気が空気流を形成することを可能にする。発生した空気流は、食品支持部１０２によって受けられた食品の表面を流れて食品を加熱し得る。食品支持部１０２は通常、食品支持部１０２上に支持された食品の底に達する空気流を促進して食品の全表面で食品を加熱するための通気性底部１０２１を有する。図１に示す実施形態では、食品支持部１０２はグリルプレートであり、食品は、調理のためにグリルプレート上に直接置かれ得る。食品支持部１０２はまた、通気性底部および通気性側壁（図３参照）を有するバスケット、または通気性底部および非通気性側壁（図４参照）を有するポットであり得る。
【００４９】
空気フライ調理器１００は、容器１０１内に位置し且つ食品支持部１０２の下に位置する仕切り（partition）１０４をさらに有する。仕切り１０４は、容器内の空間を、食品支持部１０２を収容する第１のチャンバ１０１１と、第１のチャンバ１０１１の下に位置する第２のチャンバ１０１２に分ける。仕切り１０４は、開口部１０４１を有する案内面１０４２を有する。図示の実施形態では、開口部１０４１は、仕切り１０４の中心に位置する。他の実施形態では、開口部は中心から離れて配置され得る。また、１より多い開口部が設けられてもよい。案内面１０４２は、第１のチャンバ１０１１に落下するグリース、食品片、水のような材料を、重力の作用により、案内面１０４２に沿って開口部１０４１に向かって移動させ、開口部１０４１を通って第２のチャンバ１０１２に入るように、その周囲から開口部１０４１まで、徐々に容器１０１の底面に向かって傾斜する。案内面１０４２は、図１に示すような平坦なテーパ面であってもよいし、凸面または凹面曲面または螺旋状の表面のような他の形状の表面であってもよい。あるいは、案内面１０４２は、図６および７に示すような外形を備えてもよい。容器１０１の底壁１０１３に対する案内面１０４２の傾斜角度は、案内面１０４２が、その周囲から開口部１０４１まで、容器１０１の底部に向かって概して傾斜している限り、任意に構成され得る。
【００５０】
有利には、容器１０１の底壁１０１３に対する案内面１０４２の傾斜角度は、案内面１０４２上に落下する材料を重力および気流によって開口部１０４１の近くまで良好に案内するように、および、開口部１０４１を通って第２のチャンバ１０１２の中に落下するように、１０度超であり得る。
【００５１】
図１に示す実施形態では、仕切り１０４は、図２にも示されるように、容器１０１の外部に延びるハンドル１０４４を有する。ハンドル１０４４の屈曲部分は、容器１０１内の仕切り１０４を支持するために、容器１０１の側壁のノッチに置かれ得る。この場合、食品支持部１０２は、仕切り１０４上に、例えば、案内面１０４２又は仕切り１０４の端部上に直接置かれ且つ位置決めされ得る。容器の外部に伸びるハンドル１０４４は、位置決めおよび支持を仕切り１０４に提供するが、仕切り１０４およびユーザによって容器１０１の外部からその上に置かれた食品支持部１０２の配置および除去を容易にもする。
【００５２】
代替的には、仕切り１０４は、食品支持部１０２に取り付けられ得るとともに、食品支持部１０２は、例えば同様のハンドル１０４４によって容器１０１に支持され得る。
【００５３】
オプションで、仕切り１０４の下方部分は、図１−５に示す周壁１０４３、図６に示す脚部２０４３、または図８に示すようなカップ状構造４０４３のような支持構造を備え得る。支持壁１０４３、脚部２０４３またはカップ４０４３は、容器１０１の底壁１０１３の近くまたは底壁１０１３上に垂直に延在して、仕切り１０４と容器１０１の側壁との間の周辺位置で第１のチャンバ１０１１から第２のチャンバ１０１２をさらに隔離する。
【００５４】
図２に示す実施形態では、開口部１０４１は、中心から外側に延びるいくつかの脚部を有するヒトデ形開口部である。しかし、開口部１０４１は、材料が通過することをそれが可能にする限り、図６に示すような単純な円形開口部または多角形開口部、または複数の開口部を含む任意の形状であり得ることが理解されるべきである。
【００５５】
空気フライ調理器１００が食品を調理するために使用されるとき、加熱手段によって加熱された空気は空気流発生装置によって駆動されて高温空気流を生成する。高温空気流は、食品支持部１０２上に収容された食品の上を流れてそれを加熱する。加熱された食品から抽出されたグリースおよび水などの材料および食品から落ちた食品片は、食品支持部１０２の通気性底部１０２１を通って、食品支持部１０２の下の仕切り１０４の案内面１０４２上に落下する。案内面１０４２は、容器１０１の底壁１０１３に向かって開口部１０４１に向かう方向に傾斜しているので、空気流と組み合わされた重力の作用により、案内面１０４２の位置に落下するこれらの材料は、案内面１０４２に沿って開口部１０４１の近くまで移動し、開口部１０４１を通って仕切り１０４の下の第２のチャンバ１０１２に落下する。
【００５６】
仕切り１０４の案内面１０４２は、第１のチャンバ１０１１を第２のチャンバ１０１２から大きく隔てるため、容器１０１の上方に位置し、第１のチャンバ１０１１に直接連通する加熱手段によって生成される熱の照射は、仕切り１０４によって少なくとも部分的に遮られる；一方、加熱手段によって加熱された高温空気流もまた、仕切り１０４によって部分的に遮られ、第２のチャンバ１０１２に入ることはほとんどない。したがって、空気による第２のチャンバ１０１２への対流および熱伝導も低減される。このように、仕切り１０４の遮りにより、第１のチャンバ１０１１から第２のチャンバ１０１２への熱伝達が弱められるので、第２のチャンバ１０１２の温度は第１のチャンバ１０１１の温度よりも顕著に低くなり、第２のチャンバ１０１２の温度は、調理された食品の煙点温度より低いレベルに達する。このように、調理中に生成された食品からのグリース、水および断片は全て後に、案内面１０４２を経由して、高温の第１のチャンバ１０１１から離れ、その煙点温度より低い温度の第２のチャンバ１０１２に案内される。第２のチャンバ１０１２では、これらの材料は、高温空気循環に参加することによって加熱されることが続けられず、高温加熱手段と接触することができないので、それらは煙点温度より上に加熱されず、煙霧を発生しない。一方、第２のチャンバ１０１２に位置する容器の底壁１０１３の温度もまた、煙点温度より低く、これらの材料が最終的に容器の底壁１０１３に落下したとしても、それらは煙点温度まで容器の底壁１０１３によって加熱されず、煙霧を発生しない。したがって、煙霧を低減または排除する効果が達成される。オプションで、第２のチャンバ１０１２の底壁および／または側壁は、例えばそれらの外側を冷却することによって、能動的に冷却され得る。これは、第２のチャンバの温度を低下させるのにさらに役立ち得る。
【００５７】
案内面１０４２の開口部１０４１の大きさは、熱伝達を遮る仕切り１０４の効果を過度に弱めることを避けるために、過度に大きくすべきではない。開口部１０４１の大きさを適切に設定することにより、仕切り１０４の使用は、空気フライ調理器１００の動作中に第２のチャンバ１０１２の温度を第１のチャンバ１０１１の温度よりも約摂氏５０度低くすることができ、煙霧を効果的に回避する機能を達成する。
【００５８】
図１に示すように、有利には、容器１０１は、案内部材１０５をさらに備え得る。案内部材１０５は、例えば、容器１０１の底壁１０１３に設けられ得る。図示された実施形態では、案内部材１０５の断面積は、その頂部から底部にかけて徐々に増加し、全体として実質的に円錐形、ピラミッド形、螺旋状円錐形、円錐台形、切頭ピラミッド形、または截頭螺旋円錐形である。案内部材１０５は、容器１０１の軸方向において、仕切り１０４の案内面１０４２の開口部１０４１と整列し（位置合わせされ）ており、案内部材１０５は、開口部１０４１の高さ（level）付近から容器１０１の底壁１０１３まで垂直方向に容器１０１の半径方向の中心から離れて徐々に傾斜して延在する指向面１０５１を有する。有利には、案内部材１０５の上部は、開口部１０４１を通って第１のチャンバ１０１１の中に延在し得る。適切なギャップが、案内部材１０５と開口部１０４１との間に設けられ、第１のチャンバ１０１１に落下した材料がギャップを通って第２のチャンバ１０１２に入ることを可能にする。
【００５９】
一方、案内部材１０５は、開口部１０４１の中心の大部分を覆い、グリースのような材料が通過することを可能にするように開口部１０４１の周囲に隙間を残すだけであり、これにより、第１のチャンバ１０１１を第２のチャンバ１０１２からさらに隔てて、第１のチャンバ１０１１から第２のチャンバ１０１２への熱伝達をより良好に遮断して、第２のチャンバ１０１２のより低い温度を可能にする有利な効果を達成することができる。
【００６０】
一方、開口部１０４１から周囲に向けて下方に傾斜して延在する案内部材１０５上の指向面１０５１は、第１のチャンバ１０１１から来て開口部１０４１を通ってその上に落ちる材料を開口部から離れる方向に指向面１０５１に沿って移動するように案内する。これは、第２のチャンバ１０１２に落下する材料が開口部１０４１からさらに離れて蓄えられることを可能にし、これは、第２のチャンバ１０１２に落下したこれらの材料が、第１のチャンバ１０１１への局所的な暴露により開口部１０４１近傍の領域における局所的な高温の影響からさらに遠ざけることを可能にするので、これらの材料は、第２のチャンバ１０１２内でより低い温度を維持することができる。
【００６１】
加えて、案内部材１０５による開口部１０４１への実質的なカバーと、案内部材１０５による開口部１０４１から離れた材料の案内は、第１のチャンバ１０１１内の高温空気流が、開口部１０４１を通って第２のチャンバ１０１２に実質的に入ることおよび既に第２のチャンバ１０１２に落下した材料を吹き飛ばして再び第１のチャンバ１０１１に戻ることを防ぐ。
【００６２】
図４−５は、本発明の第２の実施形態による空気フライ調理器を示す。第２の実施形態に係る空気フライ調理器は、上記の第１の実施形態に係る空気フライ調理器と構造的に類似しており、同様に、食品支持部１０２の通気性底部１０２１を通って案内面１０４２の上に落下する材料を、収集された材料の温度を煙点温度よりも低く維持し、煙霧の発生を回避する効果を達成するために、第１の実施形態による空気フライ調理器に関して説明した原理に基づいて、仕切り１０４の下の第２のチャンバ１０１２に収集する。
【００６３】
第２の実施形態に係る空気フライ調理器は、第１の実施形態に係る空気フライ調理器と以下が異なる：食品支持部１０２は非通気性の側壁１０２２を有し、第１の空間１０６が側壁１０２２と容器１０１の外壁との間に設けられている；仕切り１０４は、支持壁１０４３をさらに有し、仕切り１０４は、支持壁１０４３を介して容器１０１の底壁１０１３に支持され、第２の空間１０７が、食品支持部１０２の通気性底部１０２１と仕切り１０４の案内面１０４２との間に設けられている。第１の空間１０６は、第２の空間１０７と連通して、第１のチャンバ１０１１内にあり食品支持部１０２を通過する空気循環通路の一部を形成する。空気フライ調理器の動作中、空気流発生装置によって発生した高温空気流は、食品支持部１０２の上部から第１の空間１０６に入り、第２の空間１０７に到達し、次に通気性底部１０２１から食品支持部１０２に再び入ることができ、それによって、食品支持部１０２の内側および外側の高温空気流の循環を達成する。高温空気流の循環は、食品支持部１０２内の食品を加熱する高温空気流の効率を向上させることができ、それによって空気フライ調理器の調理効率を向上させる。
【００６４】
有利には、案内部材１０５は、開口部１０４１を通過し、第１のチャンバ１０１１の中に部分的に延在し得る。中心から周辺に向かって下方に傾斜して延在する第１のチャンバ１０１１内に位置する指向面１０５１の一部はさらに、高温空気流を案内するために使用され得る。前述の循環高温空気流が第２の空間１０７から容器の底壁１０１３に向かって傾斜した案内面１０４２に沿って流れ、第１のチャンバ１０１１の中に延びる案内面１０５１に接触するとき、案内面１０４２に対して傾斜した指向面１０５１は、容器１０１の上方に向かって指向面１０５１の延長方向に沿って高温空気流を案内する、すなわち、高温空気流を、食品支持部１０２の下から食品支持部１０２の中に通気性底部１０２１を通過させるように案内する。したがって、案内部材１０５は、高温空気流の循環効率をさらに向上させ、それによって空気フライ調理器の調理効率を向上させる。言い換えれば、案内部材１０５は、二重の機能を有し得る：空気流の流路の外に、食品支持部２から落下した材料を仕切り１０４の下の位置に導くことができる。また、食品支持部１０２の通気性底部１０２１を通って流れるように、高温空気流を上方に向けるかまたは偏向させることを助けることができる。
【００６５】
図４に示すように、案内部材１０５は、指向面１０５１が螺旋状表面として形成されるように、螺旋状に形成され得る。螺旋状表面は、高温空気流を案内して食品支持部１０２の中に螺旋状に移動するのを容易にし、それによって食品を加熱する高温空気流の効率をさらに向上させる。開口部１０４１は、好ましくは、開口部１０４１の端部と案内部材１０５との間のギャップがあまり大きくならず、熱伝達を遮る仕切り１０４の効果を弱めないように、案内部材１０５の断面形状と一致するように形成されることが理解されるべきである。
【００６６】
この実施モードでは、食品支持部１０２は、容器１０１の外部に延びるハンドル１０４４’を有する。ハンドル１０４４’の湾曲部分１０４５は、容器１０１に食品支持部１０２を支持するために（図５に示すように）容器１０１の側壁上のノッチ１０１４に置かれ得る。容器の外部に延在するハンドル１０４４’は、食品支持部１０２の位置決めおよび支持を提供するが、ユーザによる容器１０１の外部からの食品支持部１０２の配置および取り外しも容易にする。仕切り１０４は、その支持構造１０４３と共に容器の底壁１０１３上に置かれ得る。代替的には、仕切り１０４は、図２に示したものと同様に、それ自体のハンドルを備え得る。このハンドルは、例えば、食品支持部１０２のハンドル１０４４’の周りに引っ掛けられ得るかその他の方法でそのハンドル１０４４’に結合され得る。代替的には（図示せず）、仕切り１０４は、好ましくは取り外し可能な接続を介して、食品支持部１０２に、例えばその下側に結合され得る。
【００６７】
図６および７は、それぞれ本発明による仕切り２０４、３０４の２つのさらなる実施形態を示す。各仕切り２０４、３０４は、容器の底壁上に仕切りを支持するための支持構造２０４３、３０４３をそれぞれ有する。支持構造２０４３は、例えば、図６に示すようないくつかの脚部または図７に示すような、波状の閉じた壁部３０４３を含み得る。各仕切り２０４、３０４はそれぞれ、開口部２０４１、３０４１をそれぞれ持つ案内面２０４２、３０４２をそれぞれ有し、案内面は、前記案内面上に落下する材料を開口部に向けて案内するために、その周囲から前記開口部に向かって下方に傾斜している。開口部は、例えば、図６に示すような円形状２０１４または図７に示す星形状３０４１を有し得る。使用時、それぞれの開口部は、対応して形成された案内部材１０５の周りに嵌合し得る。すなわち、図６の円形開口部２０４１は、円錐案内部材（図示せず）と協働し得る。図７の星形開口部３０４１は、星形案内部材（図示せず）と協働し得る。有利には、これらの案内部材は、食品支持部の底部を通って上方に空気流を向けるのを助ける空気案内装置として機能するように、開口部２０４１、３０４１それぞれを通って容器の第１のチャンバ１０１１の中に突出するその指向面１０５１の上部を有し得る。前述したように、これは、空気流循環の効率を向上させ得るとともに空気フライ調理器の調理効率を向上させ得る。
【００６８】
空気流循環は、空気案内装置として役立ち得る適切なプロファイリング（profiling）２０４５、３０４５をそれぞれ持つ案内面２０４２、３０４２をそれぞれ備えることによってさらに改善され得る。このプロファイリングは、例えば、いくつかのリブ２０４６、３０４６を有し得る。図示された実施形態では、４つのリブ２０４６、３０４６が設けられている。代替実施形態では、より多いまたはより少ないリブ２０４６、３０４６が設けられ得る。リブ２０４６、３０４６は、開口部２０４１、３０４１から仕切り２０４、３０４の周囲に向かって延び得る。いくつかまたはすべてのリブ２０４６は直線状であり得る。それらは、図６に示すように、実質的に半径方向に延び得る。いくつかまたはすべてのリブ３０４６は、図７に示すように、仕切り３０４の周囲に向かって螺旋状になるように、湾曲され得る。多くの他の形状が可能である。組み合わさった、リブ２０４６、３０４６は、食品支持部１０２の通気性底部１０２１を通って、上方に空気流を向けるのを助ける空気案内装置２０４６、３０４６それぞれを形成し得る。図７の実施形態では、リブ３０４６は、星形開口部３０４１を通って嵌合する星形案内部材のアームと同様の形状を有し得ることが理解されよう。このようにして、リブとアームは一緒になって、一方が他方の上に重ね合わされ、４５度を超えて回転された２つの星形の案内部材を形成し得る。
【００６９】
したがって、リブ２０４６、３０４６は、案内部材１０５と協働して調理効率を向上させ得る。代替的には、リブ２０４６、３０４６は、空気流を上方に偏向又は向けさせるように単独で、すなわち案内部材１０５の協働なしで、作用し得る。このような状況は、例えば、案内部材１０５が、開口部２０４１、３０４１に接する案内面２０４２、３０４２の高さと同一平面上にあるかまたはその下に位置するその上側指向面１０５１を有するように設計されている場合に発生し得る。
【００７０】
図８および９は、本発明による仕切り４０４のさらなる実施形態を示し、図８は、取り付けられた状態の断面図における仕切り４０４を示し、図９は、斜視上面図における仕切り４０４を示す。この実施形態では、仕切り４０４は、上述した支持構造の１つと同様の支持構造４０４３と、上述の案内面と同様に傾斜し得る案内面４０４２とを有し得る。案内面４０４２は、案内面４０４２の中心でお互いに交わるとともにそこから半径方向外側に、湾曲してまたは螺旋状に、仕切り４０４の周囲に向かって延びる、４つのリブ４０４６を有する空気案内装置４０４５を備える。開口部４０４１が、２つの隣接するリブ４０４６の間に画定された脇の下に設けられ、そこでは傾斜した案内面４０４２はその最下点を有する。したがって、使用中に仕切り４０４上に落下し得る材料は、重力により前記開口部４０４１に向かって案内され、前記開口部４０４１を通って第２のチャンバ１０１２の中に落下する。図示の実施形態では、図８に最も良く見られるように、仕切りの中心に面する開口部４０４１の縁部が、仕切り４０４によって覆われる位置で、材料を第２のチャンバ１０１２に落下させるように案内する案内部材４１０５として機能するように、下方に折り曲げられ得る。代替実施形態では、案内部材１０５は、開口部４０４１の真下の位置から離れて材料を案内するように、底壁１０１３上に設けられ得る。代替的には、案内部材１０５が設けられなくてもよい。
【００７１】
図１０は、本発明による仕切り５０４のさらなる実施形態を断面図で概略的に示す。仕切りは、案内面５０４２を有し、これは、前記案内面の開口部５０４１に向かって下方に傾斜している。開口部５０４１は、例えば、図６に示されるもののような円形または図２、５および７に示されるような星形、または任意の他の適切な形状を有し得る。案内面５０４２は、空気案内装置として機能するように、他の実施形態に関連して説明したプロファイリングのうちの１つに類似したプロファイリング（図示せず）を備え得る。仕切り５０４はさらに、所与の例では閉じた底部５０１３を有する支持構造５０４３を有する。したがって、仕切り５０４上に落下する材料はすべて、開口部５０４１を通って、支持構造５０４３および底部５０１３によって囲まれた第２のチャンバ５０１２の中に案内され得る。使用後、仕切り５０４は、その中に収集された全ての材料とともに、容器から取り外され得るので、空気フライ調理器の洗浄を容易にする。底部５０１３は、使用時に底部５０１３に落下する材料を開口部５０４１から離れて、底部５０１３の周囲に向かって、案内面５０４２の下の位置に案内するために、わずかに凸状の、ドーム形状であり得る、またはその中心からその縁部に向かって下方に傾斜し得る、または任意の他の適切なプロファイリング（すべて図示せず）を備え得る。この出願では、案内面５０４２の「下の位置」は、前記案内面５０４２の垂直投影の境界内に位置する任意の位置を意味する。
【００７２】
図１１は、本発明による仕切り６０４のさらなる実施形態を断面図で概略的に示す。仕切りは、前記案内面の１つまたは複数の開口部６０４１に向かって下方に傾斜した案内面６０４２を有する。開口部６０４１は、例えば、案内面６０４２の中心の周りに円形に配置され得る。任意の他の適切な構成も可能である。案内面６０４２は、他の実施形態に関連して説明したプロファイリングの１つに類似したプロファイリング（図示せず）を備え得る。仕切り６０４は、上述した実施形態の１つと同様であり得る支持構造６０４３をさらに有し得る。仕切り６０４は、図に示すように、上昇した周縁部を有する皿形案内部材６１０５をさらに有し得る。案内部材６１０５は、仕切り６０４に、例えば、図示されているようにその下側に、一体にまたは取り外し可能に接続され得る。代替的には（図示せず）、案内部材６１０５は、例えば、仕切り６０４の開口部６０４１の下で、容器の底壁１０１３上に配置され得る、別個の構成要素として解釈されることができる。案内部材６１０５の底部は、その上に集まる材料の案内部材６１０５の端部に向かう下方移動を促進するために、わずかに凸状に、ドーム形状でその周囲に向かって下向きに傾斜し得る、または任意の他の適切な形状（すべて図示せず）を有し得る。
【００７３】
使用中に、仕切り６０４上に落下する材料はいずれも、重力により傾斜した案内面６０４２に沿って開口部６０４１に向かって及び開口部６０４１を通って、案内部材６１０５上に案内される。使用後、仕切り６０４は、案内部材６１０５およびそこに集められた全ての材料と一緒に容器から取り外され得る。したがって、図１０の実施形態と同様に、図１１の実施形態は、空気フライ調理器の容易な洗浄を可能にする。
【００７４】
上記の実施形態は本発明の原理を説明するものであるが、本発明の範囲を限定するものではないことを理解されるべきである。本発明の精神および範囲から逸脱することなく修正および変形が採用され得ることが当業者によって理解されるべきである。これらの修正および変形は、本発明の範囲および添付の特許請求の範囲内であるとみなされる。本発明の保護範囲は、添付の特許請求の範囲によって規定される。加えて、特許請求の範囲における参照符号は、特許請求の範囲を限定するものとして解釈されるべきではない。「有する、含む」という動詞およびその変形の使用は、特許請求の範囲に記載されたもの以外の要素またはステップの存在を排除するものではない。要素またはステップに先行する不定冠詞“ａ”または“ａｎ”は、そのような複数の要素の存在を排除するものではない。
【図１】
2019517882.tif 000003
【図２】
2019517882.tif 000004
【図３】
2019517882.tif 000005
【図４】
2019517882.tif 000006
【図５】
2019517882.tif 000007
【図６】
2019517882.tif 000008
【図７】
2019517882.tif 000009
【図８】
2019517882.tif 000010
【図９】
2019517882.tif 000011
【図１０】
2019517882.tif 000012
【図１１】
2019517882.tif 000013
【手続補正書】
【提出日】平成30年12月18日(2018.12.18)
【手続補正１】
【補正対象書類名】特許請求の範囲
【補正対象項目名】全文
【補正方法】変更
【補正の内容】
【特許請求の範囲】
【請求項１】
容器と；
前記容器の上に配置された加熱手段と；
前記容器内に配置され且つ通気性底部を有する食品支持部と；
前記容器内に配置され且つ前記食品支持部の下に配置される仕切りであって、前記容器内の空間を、前記食品支持部を収容する第１のチャンバと、前記第１のチャンバの下に位置する第２のチャンバとに分割する、仕切りと；
を有し、
前記仕切りは、前記第１のチャンバから前記第２のチャンバへの熱伝達を少なくとも部分的に遮断し、前記食品支持部の前記通気性底部から前記第１のチャンバの中に落下する材料を前記第２のチャンバへ案内し、
前記仕切りは、中心またはその近くに開口部を有する案内面を有し、前記案内面は、その縁部から前記開口部まで、前記容器の底部に向かって徐々に傾斜して、前記第１のチャンバの中に落下する前記材料を、前記案内面に沿って動かし且つ前記開口部を通って前記第２のチャンバに入るように、案内する、
空気フライ調理器。
【請求項２】
前記食品支持部の前記通気性底部から前記第１のチャンバの中に落下する前記材料を前記第２のチャンバに案内するように設計された案内部材を有する、
請求項１に記載の空気フライ調理器。
【請求項３】
前記案内部材は、少なくとも部分的に前記第２のチャンバ内に配置され、例えば、前記容器の底壁上に配置され、オプションで前記仕切りに接続される、
請求項２に記載の空気フライ調理器。
【請求項４】
前記案内部材は、前記第２のチャンバに入る前記材料を、空気流の流路の外の前記仕切りの下の位置に案内する、
請求項２又は３に記載の空気フライ調理器。
【請求項５】
前記案内部材は、前記容器の軸方向において、前記仕切りの前記案内面の前記開口部と整列し、前記案内部材は、前記開口部近くの高さから離れて前記容器の底壁に、徐々に傾斜して延びる指向面を有する、
請求項２乃至４のいずれか１項に記載の空気フライ調理器。
【請求項６】
ギャップが前記案内部材と前記開口部との間に設けられて、前記第１のチャンバの中に落下する前記材料が前記ギャップを通って前記第２のチャンバに入ることを可能にする、
請求項２乃至５のいずれか１項に記載の空気フライ調理器。
【請求項７】
前記案内部材は、全体として、実質的に円錐形、ピラミッド形、螺旋状円錐形、円錐台形、切頭ピラミッド形、または截頭螺旋円錐形である、
請求項２乃至６のいずれか１項に記載の空気フライ調理器。
【請求項８】
前記案内部材は、前記開口部を通過するとともに前記第１のチャンバの中に部分的に延び、前記第１のチャンバ内に配置された前記指向面の一部は、前記食品支持部の前記通気性底部を通って前記食品支持部の中に入るように、前記第２の空間からの空気を案内する、
請求項２乃至７のいずれか１項に記載の空気フライ調理器。
【請求項９】
前記食品支持部は側壁を有し、第１の空間が前記側壁と前記容器の外壁との間に設けられ、第２の空間が前記食品支持部の前記通気性底部と前記仕切りの前記案内面との間に設けられ、前記第１の空間および前記第２の空間は、前記第１のチャンバ内にあり且つ前記食品支持部を通過する空気循環通路の一部を形成する、
請求項１乃至８のいずれか１項に記載の空気フライ調理器。
【請求項１０】
前記食品支持部は、前記容器の外部に延びるハンドルを有し、前記食品支持部は、前記ハンドルを介して前記容器に支持される、または
前記仕切りは、前記容器の外部に延びるハンドルを有し、前記仕切りは、前記ハンドルを介して前記容器に支持される、
請求項１乃至９のいずれか１項に記載の空気フライ調理器。
【請求項１１】
前記食品支持部は、グリルプレートまたはバスケットを含む、
請求項１乃至１０のいずれか１項に記載の空気フライ調理器。
【請求項１２】
前記食品支持部は、前記仕切り上、好ましくはその前記案内面上に直接置かれる、
請求項１乃至１１のいずれか１項に記載の空気フライ調理器。
【請求項１３】
前記容器の底壁に対する前記案内面の傾斜角度は１０度以上である、
請求項１乃至１２のいずれか１項に記載の空気フライ調理器。
【請求項１４】
前記空気フライ調理器の動作中、前記仕切りは、前記第２のチャンバ内の温度を前記第１のチャンバ内の温度より約摂氏５０度低くする、
請求項１乃至１３のいずれか１項に記載の空気フライ調理器。
【請求項１５】
前記仕切りの前記開口部の形状は、前記案内部材が前記仕切りの前記案内面を越えて少なくとも部分的に突出しながら、前記開口部が前記案内部材の周囲に嵌合できるように、前記案内部材の前記開口部の形状と相補的である、
請求項２乃至８または請求項２を引用する請求項９乃至１４のいずれか１項に記載の空気フライ調理器。
【請求項１６】
前記食品支持部の前記通気性底部に向かって及び前記通気性底部を通って空気を案内するように設計された空気案内装置を有し、
前記空気案内装置は、前記第１のチャンバに配置され、例えば、前記仕切り上に配置される、または、前記仕切りと一体に形成される、
請求項１乃至１５のいずれか１項に記載の空気フライ調理器。
【請求項１７】
前記空気案内装置は、前記案内部材と同様の形状、例えば、実質的に円錐形、ピラミッド形、螺旋状円錐形、円錐台形、切頭ピラミッド形、または截頭螺旋円錐形である、
請求項２を引用する請求項１６に記載の空気フライ調理器。
【請求項１８】
前記空気案内装置は、少なくとも１つの空気案内リブを有し、例えば、前記少なくとも１つの空気案内リブは、本質的に半径方向に延び、
前記少なくとも１つの空気案内リブは、例えば、前記仕切りの前記開口部から延びる、
請求項１６又は１７に記載の空気フライ調理器。
【請求項１９】
請求項１乃至１８のいずれか１項に記載の空気フライ調理器の内部空間を、食品を収容する第１のチャンバと前記第１のチャンバの下に位置する第２のチャンバとに分割し、前記第１のチャンバから前記第２のチャンバへの熱伝達を少なくとも部分的に遮断する、前記空気フライ調理器で用いる仕切りであって、前記仕切りは、使用時に前記第１のチャンバの中に落ちる材料を前記第２のチャンバに案内する傾斜した案内面を有し、
前記仕切りは、前記中心または前記中心の近くに、前記案内面がその最低点を有するところに位置する、少なくとも１つの開口部を有し、前記案内面は、前記開口部に向かって及び前記開口部を通って前記材料を案内するように、その縁部から前記少なくとも１つの開口部まで、下向きに徐々に傾斜する、
仕切り。
【請求項２０】
前記案内面は、前記案内面に沿って流れる空気を上方に偏向させるように設計された空気案内装置を備え、
前記空気案内装置の外形は、例えば、実質的に円錐形、ピラミッド形、螺旋状円錐形、円錐台形、切頭ピラミッド形、または截頭螺旋円錐形である形状を有し、
前記空気案内装置は、例えば、実質的に半径方向に延びる少なくとも１つの空気案内リブを有する、
請求項１９に記載の仕切り。
【国際調査報告】
2019517882.tif 000014
2019517882.tif 000015